(57)【要約】【課題】マルチキャスト情報を伝送する際に、より簡易に送信電力を低減し、かつ無線リソースを有効に利用させる。【解決手段】チャネル管理部１２は、移動通信端末２０から受信した受信品質情報に基づいて、個別チャネルでマルチキャスト情報を送信した場合に基地局１０で消費される全送信電力と、マルチキャストチャネルでマルチキャスト情報を送信した場合に基地局１０で消費される送信電力とを算出するとともに、算出された各送信電力を比較して、より送信電力が小さくなるチャネルを、マルチキャスト情報を伝送するチャネルに割り当てる。切替部１７は、マルチキャスト情報を伝送するチャネルを、割り当てられたチャネルに切り替えるとともに、切り替え後のチャネルによりマルチキャスト情報を伝送させる。【選択図】  図２
2004193888.tif 000002
【特許請求の範囲】
【請求項１】
所定の通信エリア内に在圏する一または複数の無線受信局に対してマルチキャスト情報を無線通信により伝送する情報伝送装置であって、
前記一または複数の無線受信局ごとに割り当てられる個別チャネルを用いてマルチキャスト情報を伝送する個別チャネル伝送手段と、
前記一または複数の無線受信局で共用されるマルチキャストチャネルを用いてマルチキャスト情報を伝送するマルチキャスト伝送手段と、
前記個別チャネル伝送手段によるマルチキャスト情報の伝送と前記マルチキャスト伝送手段によるマルチキャスト情報の伝送とを切り替える切替手段と
を備えることを特徴とする情報伝送装置。
【請求項２】
前記切替手段は、
前記個別チャネル伝送手段によりマルチキャスト情報を前記一または複数の無線受信局ごとに伝送する際に要する全送信電力と、前記マルチキャスト伝送手段によりマルチキャスト情報を前記一または複数の無線受信局に伝送する際に要する送信電力とを算出する算出手段を含んで構成され、
前記算出手段により算出された全送信電力および送信電力に基づいて、前記個別チャネル伝送手段によるマルチキャスト情報の伝送と前記マルチキャスト伝送手段によるマルチキャスト情報の伝送とを切り替えることを特徴とする請求項１記載の情報伝送装置。
【請求項３】
前記算出手段は、前記一または複数の無線受信局から受信した当該無線受信局における受信品質に基づいて、前記全送信電力および送信電力を算出することを特徴とする請求項２記載の情報伝送装置。
【請求項４】
前記切替手段は、
マルチキャスト情報を受信する無線受信局の端末台数を管理する管理手段を含んで構成され、
前記管理手段により管理されている無線受信局の端末台数に基づいて、前記個別チャネル伝送手段によるマルチキャスト情報の伝送と前記マルチキャスト伝送手段によるマルチキャスト情報の伝送とを切り替えることを特徴とする請求項１記載の情報伝送装置。
【請求項５】
前記切替手段は、前記端末台数が所定の台数以下である場合には、前記個別チャネル伝送手段によるマルチキャスト情報の伝送に切り替え、前記端末台数が所定の台数を超える場合には、前記マルチキャスト伝送手段によるマルチキャスト情報の伝送に切り替えることを特徴とする請求項４記載の情報伝送装置。
【請求項６】
所定の通信エリア内に在圏する一または複数の無線受信局に対してマルチキャスト情報を無線通信により伝送する情報伝送方法であって、
前記一または複数の無線受信局ごとに割り当てられる個別チャネルを用いてマルチキャスト情報を伝送する個別チャネル伝送工程と、
前記一または複数の無線受信局で共用されるマルチキャストチャネルを用いてマルチキャスト情報を伝送するマルチキャスト伝送工程と、
前記個別チャネル伝送工程におけるマルチキャスト情報の伝送と前記マルチキャスト伝送工程におけるマルチキャスト情報の伝送とを切り替える切替工程と
を備えることを特徴とする情報伝送方法。
【請求項７】
前記切替工程は、
前記個別チャネル伝送工程においてマルチキャスト情報を前記一または複数の無線受信局ごとに伝送する際に要する全送信電力と、前記マルチキャスト伝送工程においてマルチキャスト情報を前記一または複数の無線受信局に伝送する際に要する送信電力とを算出する算出工程を含んで構成され、
前記算出工程において算出された全送信電力および送信電力に基づいて、前記個別チャネル伝送工程におけるマルチキャスト情報の伝送と前記マルチキャスト伝送工程におけるマルチキャスト情報の伝送とを切り替えることを特徴とする請求項６記載の情報伝送方法。
【請求項８】
前記算出工程は、前記一または複数の無線受信局から受信した当該無線受信局における受信品質に基づいて、前記全送信電力および送信電力を算出することを特徴とする請求項２記載の情報伝送方法。
【請求項９】
前記切替工程は、
マルチキャスト情報を受信する無線受信局の端末台数を管理する管理工程を含んで構成され、
前記管理工程において管理されている無線受信局の端末台数に基づいて、前記個別チャネル伝送工程におけるマルチキャスト情報の伝送と前記マルチキャスト伝送工程におけるマルチキャスト情報の伝送とを切り替えることを特徴とする請求項６記載の情報伝送方法。
【請求項１０】
前記切替工程は、前記端末台数が所定の台数以下である場合には、前記個別チャネル伝送工程におけるマルチキャスト情報の伝送に切り替え、前記端末台数が所定の台数を超える場合には、前記マルチキャスト伝送工程におけるマルチキャスト情報の伝送に切り替えることを特徴とする請求項９記載の情報伝送方法。
【発明の詳細な説明】
【０００１】
【発明の属する技術分野】
本発明は、マルチキャスト情報を無線通信により伝送する情報伝送装置および情報伝送方法に関する。
【０００２】
【従来の技術】
移動通信システムにおけるサービスの一つとして複数の移動通信端末に対して同一の情報を送信するマルチキャストサービスがある。このマルチキャストサービスを利用することにより移動通信端末では、マルチキャスト通信により配信されたマルチキャスト情報を受信することができる。
【０００３】
しかしながら、電波は、伝搬される距離が長いほど減衰し、伝搬経路上にある様々なものの影響を受けてその強度が大きく変動するため、送信電力に十分な余裕を持たせておかなければ、電波が全ての移動通信端末に伝搬されない事態が発生し得る。すなわち、移動通信システムにおいては、電波が伝搬される環境により各移動通信端末における受信品質が大きく異なるため、全端末が所要の受信品質を確保するためには、基地局から情報を送信する際の送信電力に十分な余裕を持たせる必要がある。したがって、従来の移動通信システムにおいてマルチキャスト情報を伝送する場合には、送信電力を必要以上に消費してしまうことが多く、無線リソースが効率的に利用されていなかった。また、送信電力が大きくなるほど、他の無線受信局に対する干渉の度合いが増大してしまうという問題もあった。
【０００４】
このような問題を解決するために非特許文献１には、マルチキャストサービスを受ける複数の受信端末の中から、最低の受信品質を有する受信端末を検出し、この受信端末の受信品質に基づいて基地局の送信電力を制御する技術が開示されている。
【０００５】
【非特許文献１】
大久保  信三、外３名、“ポイント−マルチポイント伝送における送信電力制御法の検討”、信学技報、社団法人電子情報通信学会、２００１年１０月、ｐ．６１−６６
【０００６】
【発明が解決しようとする課題】
しかしながら、非特許文献１に開示されている技術は、例えば、全受信端末の中から最低の受信品質を有する受信端末を検出し続けるとともに、基地局の送信電力そのものを制御しているため、送信電力を低減させるために行われる制御が複雑になってしまうという問題があった。
【０００７】
そこで、本発明は、上述した課題を解決するために、マルチキャスト情報を伝送する際に、より簡易に送信電力を低減し、かつ無線リソースを有効に利用させることができる情報伝送装置および情報伝送方法を提供することを目的とする。
【０００８】
【課題を解決するための手段】
本発明の情報伝送装置は、所定の通信エリア内に在圏する一または複数の無線受信局に対してマルチキャスト情報を無線通信により伝送する情報伝送装置であって、一または複数の無線受信局ごとに割り当てられる個別チャネルを用いてマルチキャスト情報を伝送する個別チャネル伝送手段と、一または複数の無線受信局で共用されるマルチキャストチャネルを用いてマルチキャスト情報を伝送するマルチキャスト伝送手段と、個別チャネル伝送手段によるマルチキャスト情報の伝送とマルチキャスト伝送手段によるマルチキャスト情報の伝送とを切り替える切替手段とを備えることを特徴とする。
【０００９】
また、本発明の情報伝送方法は、所定の通信エリア内に在圏する一または複数の無線受信局に対してマルチキャスト情報を無線通信により伝送する情報伝送方法であって、一または複数の無線受信局ごとに割り当てられる個別チャネルを用いてマルチキャスト情報を伝送する個別チャネル伝送工程と、一または複数の無線受信局で共用されるマルチキャストチャネルを用いてマルチキャスト情報を伝送するマルチキャスト伝送工程と、個別チャネル伝送工程におけるマルチキャスト情報の伝送とマルチキャスト伝送工程におけるマルチキャスト情報の伝送とを切り替える切替工程とを備えることを特徴とする。
【００１０】
これらの発明によれば、切替手段により、個別チャネル伝送手段によるマルチキャスト情報の伝送と、マルチキャスト伝送手段によるマルチキャスト情報の伝送とが切り替えられるため、マルチキャスト情報を伝送するチャネルを切り替えるという簡易な方法により送信電力を低減させ、かつ無線リソースを有効に利用させることが可能となる。
【００１１】
本発明の情報伝送装置において、上述した切替手段は、個別チャネル伝送手段によりマルチキャスト情報を一または複数の無線受信局ごとに伝送する際に要する全送信電力と、マルチキャスト伝送手段によりマルチキャスト情報を一または複数の無線受信局に伝送する際に要する送信電力とを算出する算出手段を含んで構成され、算出手段により算出された全送信電力および送信電力に基づいて、個別チャネル伝送手段によるマルチキャスト情報の伝送とマルチキャスト伝送手段によるマルチキャスト情報の伝送とを切り替えることが好ましい。
【００１２】
また、本発明の情報伝送方法において、上述した切替工程は、個別チャネル伝送工程においてマルチキャスト情報を一または複数の無線受信局ごとに伝送する際に要する全送信電力と、マルチキャスト伝送工程においてマルチキャスト情報を一または複数の無線受信局に伝送する際に要する送信電力とを算出する算出工程を含んで構成され、算出工程において算出された全送信電力および送信電力に基づいて、個別チャネル伝送工程におけるマルチキャスト情報の伝送と前記マルチキャスト伝送工程におけるマルチキャスト情報の伝送とを切り替えることが好ましい。
【００１３】
このようにすれば、算出工程において算出された全送信電力および送信電力に基づいて、より少ない送信電力によりマルチキャスト情報を伝送することができる手段（個別チャネル伝送手段またはマルチキャスト伝送手段）に切り替えてマルチキャスト情報を伝送させることができる。
【００１４】
本発明の情報伝送装置において、上述した算出手段は、一または複数の無線受信局から受信した当該無線受信局における受信品質に基づいて、全送信電力および送信電力を算出することが好ましい。
【００１５】
また、本発明の情報伝送方法において、上述した算出工程は、一または複数の無線受信局から受信した当該無線受信局における受信品質に基づいて、全送信電力および送信電力を算出することが好ましい。
【００１６】
このようにすれば、マルチキャスト情報を受信する無線受信局における受信品質に基づいて算出された全送信電力および送信電力のうち、より少ない送信電力に対応する手段に切り替えてマルチキャスト情報を伝送させることができる。
【００１７】
本発明の情報伝送装置において、上述した切替手段は、マルチキャスト情報を受信する無線受信局の端末台数を管理する管理手段を含んで構成され、管理手段により管理されている無線受信局の端末台数に基づいて、個別チャネル伝送手段によるマルチキャスト情報の伝送とマルチキャスト伝送手段によるマルチキャスト情報の伝送とを切り替えることが好ましい。
【００１８】
また、本発明の情報伝送方法において、上述した切替工程は、マルチキャスト情報を受信する無線受信局の端末台数を管理する管理工程を含んで構成され、管理工程において管理されている無線受信局の端末台数に基づいて、個別チャネル伝送工程におけるマルチキャスト情報の伝送とマルチキャスト伝送工程におけるマルチキャスト情報の伝送とを切り替えることが好ましい。
【００１９】
このようにすれば、マルチキャスト情報を受信する無線受信局の端末台数に基づいてマルチキャスト情報を伝送させる手段を切り替えることができ、端末台数を管理するという簡易な方法により送信電力を低減させ、かつ無線リソースを有効に利用させることが可能となる。
【００２０】
本発明の情報伝送装置において、上述した切替手段は、端末台数が所定の台数以下である場合には、個別チャネル伝送手段によるマルチキャスト情報の伝送に切り替え、端末台数が所定の台数を超える場合には、マルチキャスト伝送手段によるマルチキャスト情報の伝送に切り替えることが好ましい。
【００２１】
また、本発明の情報伝送方法において、上述した切替工程は、端末台数が所定の台数以下である場合には、個別チャネル伝送工程におけるマルチキャスト情報の伝送に切り替え、端末台数が所定の台数を超える場合には、マルチキャスト伝送工程におけるマルチキャスト情報の伝送に切り替えることが好ましい。
【００２２】
このようにすれば、マルチキャスト情報を受信する無線受信局の端末台数が所定の台数以下であるか否かという簡易な方法によりマルチキャスト情報を伝送させる手段を切り替えることができる。
【００２３】
【発明の実施の形態】
以下、本発明に係る装置の各実施形態を図面に基づき説明する。なお、各図において、同一要素には同一符号を付して重複する説明を省略する。
【００２４】
［第１実施形態］
まず、本発明の第１実施形態について説明する。図１は、第１実施形態における移動通信システム１の構成を例示する図である。図１に示すように、移動通信システム１は、ユーザが携帯して使用する移動通信端末（無線受信局）２０と、所定の通信エリア内に在圏する移動通信端末２０と無線通信を行う基地局（情報伝送装置）１０と、移動通信網やインターネット等を含むネットワーク３０とを有する。なお、ユーザが携帯して使用する端末は、上述した移動通信端末２０に限られず、例えば、携帯電話機、簡易型携帯電話機（ＰＨＳ）、通信機能を有する携帯型情報端末（ＰＤＡ）、ＦＷＡ（Ｆｉｘｅｄ  Ｗｉｒｅｌｅｓｓ  Ａｃｃｅｓｓ）受信端末（加入者系無線アクセス端末）、無線ＬＡＮ端末、無線タグ、ホームネットワーク端末、ＰＡＮ（Ｐｅｒｓｏｎａｌ  Ａｒｅａ  Ｎｅｔｗｏｒｋ）端末、ＶｏＩＰ（Ｖｏｉｃｅ  ｏｖｅｒ  Ｉｎｔｅｒｎｅｔ  Ｐｒｏｔｏｃｏｌ）端末等を含む無線受信局であればよい。
【００２５】
次に、図１に示される基地局１０の機能構成を説明する。この基地局１０は、自局がカバーする通信エリア内に在圏する移動通信端末２０と無線通信を行い、通話サービスあるいはパケット通信サービスを提供する。図１に示すように、基地局１０は、受信部１１、チャネル管理部１２、共通制御チャネル伝送部１３、個別制御チャネル伝送部１４、入出力インターフェース１５、入出力端子１６、切替部１７、マルチキャストチャネル伝送部１８および個別チャネル伝送部１９を含んで構成される。本実施形態における基地局１０は、これらの機能を備えることにより、移動通信端末（無線受信局）２０に対してマルチキャスト情報を伝送する情報伝送装置として機能することになる。なお、これらの機能は、基地局１０自体が必ずしも備えている必要はなく、例えば、基地局１０の内部あるいは外部に取り付け（接続）可能な情報伝送装置が備えることとしてもよい。以下において各構成要素を説明する。
【００２６】
受信部１１は、移動通信端末２０から送信された各種の情報を受信する。各種の情報としては、例えば、マルチキャスト情報伝送開始要求、受信品質情報に関する通知、マルチキャスト情報受信開始通知がある。ここで、マルチキャスト情報伝送開始要求とは、移動通信端末２０において所望されるマルチキャスト情報が、基地局１０から伝送されていない場合に、当該マルチキャスト情報の伝送を開始するように移動通信端末２０から要求される信号である。受信品質情報に関する通知とは、マルチキャスト情報を受信する移動通信端末２０において新たに測定された受信品質情報あるいは当該移動通信端末２０が要求する受信品質情報に関する通知である。受信品質情報としては、例えば、基地局１０から受信した電波の受信強度、ＳＩＲ（受信信号電力対干渉電力比）、ＣＩＲ（受信信号電力対所望干渉電力比）、ＩＰレイヤにおけるＱｏＳクラス、スループットその他の通信速度、誤り率やパケット廃棄率を含むその他の受信劣化率、許容遅延時間、ジッターがある。また、マルチキャスト情報受信開始通知とは、移動通信端末２０において所望されるマルチキャスト情報が、基地局１０から既に伝送されている場合に、当該マルチキャスト情報の受信を移動通信端末２０で開始することを通知する信号である。
【００２７】
チャネル管理部１２は、マルチキャスト情報伝送開始要求またはマルチキャスト情報受信開始通知により移動通信端末２０に対して伝送するように要求されたマルチキャスト情報を当該移動通信端末２０に対して伝送するチャネルの割り当てを管理する。すなわち、チャネル管理部１２は、当該マルチキャスト情報が、個別チャネルまたはマルチキャストチャネルのいずれにより伝送されるのかを管理する。ここで、個別チャネルとは、一の移動通信端末２０ごとに割り当てられるチャネルのことであり、マルチキャストチャネルとは、同一のマルチキャスト情報を受信する複数の移動通信端末２０に共通して割り当てられるチャネルのことである。
【００２８】
チャネル管理部１２が、各移動通信端末２０にチャネルを割り当てる方法としては、例えば、一のマルチキャスト情報を伝送する基地局１０の全送信電力が最小になるようにチャネルを割り当てる方法がある。具体的に説明すると、例えば、一のマルチキャスト情報を受信する２台の移動通信端末が基地局の近傍に位置する場合（受信品質が良い場合）には、これら２台の移動通信端末に対してそれぞれ個別チャネルを割り当ててマルチキャスト情報を伝送する。このような場合には、個別チャネルを割り当てて伝送した方が、マルチキャストチャネルを割り当てて伝送する場合に比して基地局１０の全送信電力を小さくすることができる。さらに、個別チャネルを割り当てて伝送することにより、個別に送信電力を制御することができるので受信品質を向上させることができる。一方、一のマルチキャスト情報を受信する２台の移動通信端末が基地局の遠方（例えば、セルの境界付近）に位置する場合（受信品質が悪い場合）には、これら２台の移動通信端末に対して一つのマルチキャストチャネルを共通に割り当ててマルチキャスト情報を伝送する。このような場合には、マルチキャストチャネルを割り当てて伝送した方が、個別チャネルを割り当てて伝送する場合に比して基地局１０の全送信電力を小さくすることができる。すなわち、チャネル管理部１２は、無線リソースの高効率化という観点から、一のマルチキャスト情報を、一または複数の個別チャネルで伝送したほうが良いのか、一のマルチキャストチャネルで伝送したほうが良いのかを判断し、この判断結果に基づいてチャネルを割り当てる。
【００２９】
また、チャネル管理部１２は、移動通信端末２０から受信したマルチキャスト情報の種別（ＩＰアドレス）と、当該移動通信端末を識別する加入者番号（電話番号）と、当該移動通信端末の受信品質情報と、当該マルチキャスト情報を伝送するチャネル番号とをそれぞれ対応付けてメモリに格納されている管理テーブルＴに登録する。なお、移動通信端末を識別する情報は、上述した加入者番号に限られず、例えば、ＭＡＣアドレス、機体番号、ＩＰアドレス、気付アドレス等を含む端末識別子であればよい。また、チャネル管理部１２は、ネットワーク３０上にあるマルチキャスト情報の配信を管理しているサーバ（不図示）にアクセスして、マルチキャスト情報を配信するマルチキャストグループへの参加（登録）処理を行う。また、チャネル管理部１２は、入出力インターフェース１５を介して受信したマルチキャスト情報に基づいて管理テーブルＴを参照し、このマルチキャスト情報に対応するチャネル番号を取得するとともに、このチャネル番号をマルチキャストチャネル伝送部１８または個別チャネル伝送部１９のいずれかと、切替部１７とに通知する。
【００３０】
共通制御チャネル伝送部１３は、マルチキャスト情報伝送開始要求またはマルチキャスト情報受信開始通知により伝送するように要求されたマルチキャスト情報を基地局１０から伝送する旨の信号を、この基地局１０の通信エリア内に在圏する全ての移動通信端末２０に対して報知する。ここで、共通制御チャネルとは、基地局１０の通信エリア内に在圏する全ての移動通信端末に対する制御情報が伝送されるチャネルのことである。なお、本実施形態における共通制御チャネルにより伝送される制御情報は、マルチキャスト情報が伝送されているか否かを示す情報により構成される。
【００３１】
個別制御チャネル伝送部１４は、マルチキャスト情報の伝送に使用するチャネル番号を制御情報として移動通信端末２０に対して通知する。ここで、個別制御チャネルとは、一の移動通信端末２０に対する制御情報が伝送されるチャネルのことである。なお、本実施形態における個別制御チャネルにより伝送される制御情報は、マルチキャスト情報の伝送に用いるチャネルの番号により構成される。
【００３２】
入出力インターフェース１５は、ネットワーク３０から送信されるマルチキャスト情報を、入出力端子１６を介して受信する。
【００３３】
切替部１７は、チャネル管理部１２から通知されたチャネル番号がマルチキャストチャネルに対応するチャネル番号である場合には、入出力インターフェース１５を介して受信したマルチキャスト情報をマルチキャストチャネル伝送部１８に送信し、取得したチャネル番号が個別チャネルに対応するチャネル番号である場合には、入出力インターフェース１５を介して受信したマルチキャスト情報を個別チャネル伝送部１９に対して送信する。
【００３４】
マルチキャストチャネル伝送部１８は、切替部１７から受信したマルチキャスト情報を移動通信端末２０に対して伝送する。
【００３５】
個別チャネル伝送部１９は、切替部１７から受信したマルチキャスト情報を移動通信端末２０に対して伝送する。
【００３６】
次に、図１に示された移動通信端末２０の機能構成を説明する。この移動通信端末２０は、自端末が在圏する通信エリアをカバーする基地局１０と無線通信を行い、通話サービスあるいはパケット通信サービスを受ける。図１に示すように、移動通信端末２０は、受信部２２、制御情報認識部２３、受信品質測定部２１および送信部２４を含んで構成される。以下において各構成要素を説明する。
【００３７】
受信部２２は、基地局１０から送信されるマルチキャスト情報を、個別チャネルまたはマルチキャストチャネルを介して受信する。また、受信部２２は、基地局１０から送信される共通制御チャネルの制御情報および個別制御チャネルの制御情報を受信する。
【００３８】
制御情報認識部２３は、受信部２２により受信された共通制御チャネルの制御情報に基づいて、基地局１０から所望のマルチキャスト情報が伝送されているか否かを認識する。また、制御情報認識部２３は、受信部２２により受信された個別制御チャネルの制御情報に基づいて、マルチキャスト情報の伝送に使用されるチャネル番号を認識する。
【００３９】
受信品質測定部２１は、基地局１０から受信する電波の強度を測定することにより受信品質を測定する。なお、同じ周波数帯域で複数のチャネルを利用する無線伝送方式を採用する移動通信システムにおいては、マルチキャスト情報を受信した際の受信品質と制御情報を受信した際の受信品質とが同程度の品質になる。したがって、このような移動通信システムにおける受信品質の測定は、マルチキャスト情報を受信した際の受信品質の測定に限られず、制御情報を受信した際の受信品質を測定することとしてもよい。複数のチャネルを同じ周波数帯域で伝送する無線伝送方式としては、例えば、ＣＤＭ（Ｃｏｄｅ  Ｄｉｖｉｓｉｏｎ  Ｍｕｌｔｉｐｌｅｘｉｎｇ）、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）、ＯＦＣＤＭ（Ｏｒｔｈｏｇｏｎａｌ  Ｆｒｅｑｕｅｎｃｙ  Ｃｏｄｅ  Ｄｉｖｉｓｉｏｎ  Ｍｕｌｔｉｐｌｅｘｉｎｇ）がある。
【００４０】
また、受信品質測定部２１は、マルチキャスト情報を受信している際に、常時または断続的に受信品質を測定する。受信品質測定部２１は、測定した現時点での受信品質と、基地局１０に既に送信した受信品質のうち最新の受信品質との差が、所定の閾値以上であるか否かを判定する。
【００４１】
送信部２４は、制御情報認識部２３により所望のマルチキャスト情報の伝送が認識されなかった場合に、マルチキャスト情報伝送開始要求、加入者番号および受信品質情報を基地局１０に送信する。送信部２４は、制御情報認識部２３により所望のマルチキャスト情報が既に伝送されていると認識された場合に、マルチキャスト情報受信開始通知、加入者番号および受信品質情報を基地局１０に送信する。また、送信部２４は、受信品質測定部２１により上述した受信品質の差が所定の閾値以上であると判定された場合には、基地局１０に対して、加入者番号および受信品質情報を送信する。
【００４２】
入出力インターフェース２５は、基地局１０から受信したマルチキャスト情報を、入出力端子２６を介して出力する。
【００４３】
次に、図２を参照して第１実施形態における移動通信端末２０の動作を説明する。図２に示すように、まず、移動通信端末２０の受信部２２は、基地局１０から送信される共通制御チャネルの制御情報を受信する（ステップＳ１）。制御情報認識部２３は、所望のマルチキャスト情報が基地局１０から伝送されているか否かを判定する（ステップＳ２）。この判定の結果がＮＯである場合（ステップＳ２；ＮＯ）に、送信部２４は、マルチキャスト情報伝送開始要求、加入者番号および受信品質情報を基地局１０に送信し、処理をステップＳ５に移行する。一方、ステップＳ２における判定で、所望のマルチキャスト情報が基地局１０から伝送されていると判定された場合（ステップＳ２；ＹＥＳ）に、送信部２４は、マルチキャスト情報受信開始通知、加入者番号および受信品質情報を基地局１０に送信する（ステップＳ４）。
【００４４】
次に、受信部２２は、基地局１０から送信される個別制御チャネルの制御情報を受信する（ステップＳ５）。制御情報認識部２３は、受信部２２により受信された個別制御チャネルの制御情報に基づいて、マルチキャスト情報の伝送に使用されるチャネル番号を認識する（ステップＳ６）。そして、受信部２２は、制御情報認識部２３により認識されたチャネル番号を用いてマルチキャスト情報の受信を開始する。すなわち、受信部２２は、チャネル番号が個別チャネルである場合には、この個別チャネルを介して送信されるマルチキャスト情報を受信し、チャネル番号がマルチキャストチャネルである場合には、このマルチキャストチャネルを介して送信されるマルチキャスト情報を受信する。
【００４５】
次に、制御情報認識部２３は、マルチキャスト情報の伝送が終了したか否かを判定する（ステップＳ７）。この判定の結果がＹＥＳである場合（ステップＳ７；ＹＥＳ）には、本動作が終了する。一方、ステップＳ７における判定で、マルチキャスト情報の伝送が終了していないと判定された場合（ステップＳ７；ＮＯ）に、受信品質測定部２１は、新たに測定した受信品質と、基地局１０に既に送信した受信品質のうち最新の受信品質との差が、所定の閾値以上であるか否かを判定する（ステップＳ８）。この判定の結果がＮＯである場合（ステップＳ８；ＮＯ）には、処理をステップＳ７に移行する。一方、ステップＳ８における判定で、受信品質の差が所定の閾値以上であると判定された場合（ステップＳ８；ＹＥＳ）に、送信部２４は、加入者番号および新たに測定された受信品質情報に関する通知を基地局１０に対して送信する（ステップＳ９）。
【００４６】
次に、受信部２２は、基地局１０から送信される個別制御チャネルの制御情報を受信する（ステップＳ１０）。制御情報認識部２３は、受信部２２により受信された個別制御チャネルの制御情報に基づいて、マルチキャスト情報の伝送に使用されるチャネル番号を認識し、チャネル番号が変更されたか否かを判定する（ステップＳ１１）。この判定の結果がＹＥＳの場合（ステップＳ７；ＹＥＳ）に、受信部２２は、制御情報認識部２３により新たに認識されたチャネル番号を用いてマルチキャスト情報を受信する（ステップＳ１２）。そして、処理をステップＳ７に移行する。一方、ステップＳ８における判定で、チャネル番号が変更されていないと判定された場合（ステップＳ８；ＮＯ）に、受信部２２は、それまで使用していたチャネル番号をそのまま使用してマルチキャスト情報を受信する（ステップＳ１３）。そして、処理をステップＳ７に移行する。
【００４７】
これにより、受信部２２は、チャネル番号が個別チャネルである場合には、個別チャネルを介して送信されるマルチキャスト情報を受信し、チャネル番号がマルチキャストチャネルである場合には、マルチキャストチャネルを介して送信されるマルチキャスト情報を受信することができる。
【００４８】
次に、図３を参照して第１実施形態における基地局１０の動作を説明する。図３に示すように、まず、基地局１０の受信部１１は、移動通信端末２０から送信される各種の情報を受信したか否かを判定する（ステップＳ２１）。ここで、移動通信端末２０から送信される各種の情報としては、例えば、マルチキャスト情報伝送開始要求、受信品質情報の通知、マルチキャスト情報受信開始通知がある。ステップＳ２１における判定の結果がＮＯである場合（ステップＳ２１；ＮＯ）には、処理をステップＳ３１に移行する。一方、ステップＳ２１における判定で、各種の情報を受信したと判定された場合（ステップＳ２１；ＹＥＳ）に、チャネル管理部１２は、移動通信端末２０から受信した情報の内容を判定する（ステップＳ２２）。
【００４９】
ステップＳ２２における判定で、受信した情報にマルチキャスト情報伝送開始要求が含まれると判定された場合（ステップＳ２２；判定１）に、チャネル管理部１２は、個別チャネルでマルチキャスト情報を送信した場合に基地局１０にて消費される全送信電力と、マルチキャストチャネルでマルチキャスト情報を送信した場合に基地局１０にて消費される送信電力とを算出する。なお、この送信電力の算出は、移動通信端末２０から受信した受信品質情報に基づいて算出する。チャネル管理部１２は、算出された送信電力を比較し、より送信電力が小さくなるチャネルを、マルチキャスト情報を伝送するチャネルに割り当てる。そして、チャネル管理部１２は、移動通信端末２０から受信したマルチキャスト情報の種別に対応させて、当該移動通信端末２０に割り当てたチャネルのチャネル番号、当該移動通信端末２０から受信した加入者番号および受信品質情報を管理テーブルＴに登録する（ステップＳ２３）。
【００５０】
次に、チャネル管理部１２は、ネットワーク３０上にあるマルチキャスト情報の配信を管理しているサーバにアクセスして、マルチキャスト情報を配信するマルチキャストグループへの参加処理を行う（ステップＳ２４）。
【００５１】
次に、共通制御チャネル伝送部１３は、マルチキャスト情報伝送開始要求により伝送するように要求されたマルチキャスト情報を基地局１０から伝送する旨の信号を、この基地局１０の通信エリア内に在圏する全ての移動通信端末２０に対して報知する（ステップＳ２５）。また、個別制御チャネル伝送部１４は、マルチキャスト情報の伝送に使用するチャネルのチャネル番号を制御情報として移動通信端末２０に対して通知する（ステップＳ２６）。
【００５２】
次に、チャネル管理部１２は、移動通信端末２０に対してマルチキャスト情報を伝送するチャネルのチャネル番号を、マルチキャストチャネル伝送部１８または個別チャネル伝送部１９のいずれかと、切替部１７とに通知する。そして、切替部１７は、通知されたチャネル番号に基づいて、マルチキャスト情報を伝送する伝送部を、マルチキャストチャネル伝送部１８または個別チャネル伝送部１９のいずれか一方に決定する。具体的に説明すると、切替部１７は、チャネル管理部１２から通知されたチャネル番号がマルチキャストチャネルに対応する番号である場合にはマルチキャストチャネル伝送部１８に決定し、一方、通知されたチャネル番号が個別チャネルに対応する番号である場合には個別チャネル伝送部１９に決定する。これにより、マルチキャストチャネル伝送部１８または個別チャネル伝送部１９のいずれか一方からマルチキャスト情報が出力されることとなり、移動通信端末２０へのマルチキャスト情報の伝送が開始される（ステップＳ２７）。
【００５３】
一方、上述したステップＳ２２における判定で、移動通信端末２０から受信した情報にマルチキャスト情報受信開始通知または新たに測定された受信品質情報に関する通知が含まれると判定された場合（ステップＳ２２；判定２）に、チャネル管理部１２は、個別チャネルでマルチキャスト情報を送信した場合に基地局１０にて消費される全送信電力と、マルチキャストチャネルでマルチキャスト情報を送信した場合に基地局１０にて消費される送信電力とを算出する。チャネル管理部１２は、算出された送信電力を比較し、より送信電力が小さくなるチャネルを、マルチキャスト情報を伝送するチャネルに割り当てる。そして、チャネル管理部１２は、新たに割り当てたチャネルのチャネル番号に基づいて管理テーブルＴを更新する（ステップＳ２８）。
【００５４】
次に、個別制御チャネル伝送部１４は、マルチキャスト情報の伝送に使用する新たなチャネルのチャネル番号を制御情報として移動通信端末２０に対して通知する（ステップＳ２９）。
【００５５】
次に、チャネル管理部１２は、新たなチャネルのチャネル番号をマルチキャストチャネル伝送部１８または個別チャネル伝送部１９のいずれかと、切替部１７とに通知する。そして、切替部１７は、通知された新たなチャネル番号に基づいて、マルチキャスト情報を伝送する伝送部を、マルチキャストチャネル伝送部１８または個別チャネル伝送部１９のいずれか一方に切り替える。具体的に説明すると、切替部１７は、チャネル管理部１２から通知された新たなチャネル番号がマルチキャストチャネルに対応する番号である場合にはマルチキャストチャネル伝送部１８に切り替え、一方、通知された新たなチャネル番号が個別チャネルに対応する番号である場合には個別チャネル伝送部１９に切り替える。これにより、マルチキャストチャネル伝送部１８または個別チャネル伝送部１９のいずれか一方からマルチキャスト情報が出力されることとなり、マルチキャスト情報が、切り替えられた後のチャネルを介して伝送される（ステップＳ３０）。
【００５６】
次に、チャネル管理部１２は、入出力インターフェース１５を介して受信されるマルチキャスト情報の伝送が終了したか否かを判定する（ステップＳ３１）。この判定の結果がＹＥＳである場合（ステップＳ３１；ＹＥＳ）には、本動作が終了する。一方、ステップＳ３１における判定で、マルチキャスト情報の伝送が終了していないと判定された場合（ステップＳ３１；ＮＯ）には、処理をステップＳ２１に移行する。
【００５７】
以上のように、チャネル管理部１２が、移動通信端末２０から受信した受信品質情報に基づいて、個別チャネルでマルチキャスト情報を送信した場合に基地局１０で消費される全送信電力と、マルチキャストチャネルでマルチキャスト情報を送信した場合に基地局１０で消費される送信電力とを算出するとともに、算出された各送信電力を比較して、より送信電力が小さくなるチャネルを、マルチキャスト情報を伝送するチャネルに割り当てている。したがって、基地局１０は、チャネル管理部１２により割り当てられたチャネルを介してマルチキャスト情報を送信することにより、送信電力を低減することができ、ひいては無線リソースを有効に利用することができる。すなわち、本実施形態における基地局１０により、より簡易に送信電力を低減し、かつ無線リソースを有効に利用させることができる。
【００５８】
［第２実施形態］
次に、本発明の第２実施形態について説明する。まず、図４を参照して第２実施形態における移動通信システムの構成を説明する。第２実施形態における移動通信システム２の構成が、第１実施形態における移動通信システム１の構成と異なる点は、第２実施形態における移動通信端末２０Ｓには、第１実施形態における移動通信端末２０の受信品質測定部２１が含まれない点である。したがって、それ以外の構成は、第１実施形態における移動通信システム１の構成と同様であるので、各構成要素には同一の符合を付しその説明は省略すると共に、以下において第１実施形態との相違点について詳述する。
【００５９】
まず、上述した第１実施形態における移動通信システム１では、基地局１０のチャネル管理部１２が、移動通信端末２０から受信した受信品質情報に基づいて、個別チャネルでマルチキャスト情報を送信した場合とマルチキャストチャネルでマルチキャスト情報を送信した場合とにおける送信電力をそれぞれ算出し、算出された各送信電力に基づいてマルチキャスト情報を伝送するチャネルを割り当てている。これに対して、第２実施形態における移動通信システム２では、基地局１０のチャネル管理部１２が、マルチキャスト情報を受信する移動通信端末２０Ｓの端末台数に基づいてマルチキャスト情報を伝送するチャネルを割り当てる。したがって、第２実施形態における移動通信システム２では、第１実施形態における移動通信システム１に比して、チャネルの割り当て処理が簡易になる。
【００６０】
ここで、移動通信端末２０Ｓの端末台数と基地局１０の送信電力との関係を、図５を参照して説明する。まず、図５に示すグラフの横軸は、基地局がカバーするセルまたはセクタ内の移動通信端末台数［台］を表し、縦軸は、一のマルチキャスト情報を送信するために必要な基地局の送信電力［ｄＢ］を表す。図５に示すグラフＧ１は、基地局がカバーするセルまたはセクタ内の移動通信端末台数に対する基地局の送信電力［ｄＢ］を表す。この場合における基地局の送信電力とは、基地局が一のマルチキャスト情報を個別チャネルで各移動通信端末２０Ｓに対して送信した場合に消費する各送信電力の合計値を平均したものである。なお、送信電力は、セルまたはセクタ端における長区間平均値が所要の品質であるときの送信電力を０［ｄＢ］として表している。
【００６１】
また、図５に示すグラフＧ２は、基地局がカバーするセルまたはセクタ内の移動通信端末台数に対する基地局の送信電力［ｄＢ］を表す。この場合における基地局の送信電力は、基地局が一のマルチキャスト情報を一のマルチキャストチャネルで伝送し、セルまたはセクタ内の受信劣化率が例えば０．２％と規定された場合に消費する送信電力を平均したものである。受信劣化率とは、所要の受信品質が確保されない移動通信端末の割合である。図５に示すように、受信劣化率が０．２％と規定した場合には、基地局１０の送信電力は、１９．２［ｄＢ］となる。また、図５に示すグラフＧ１において、基地局の送信電力が１９．２［ｄＢ］となるのは、移動通信端末台数が７．６［台］のときである。したがって、移動通信端末台数が７台以下の場合には、個別チャネルを用いて一のマルチキャスト情報を伝送した場合における基地局の全送信電力の方が、マルチキャストチャネルを用いて一のマルチキャスト情報を伝送した場合における基地局の送信電力よりも低くなる。一方、移動通信端末台数が８台以上の場合には、マルチキャストチャネルを用いて一のマルチキャスト情報を伝送した場合における基地局の送信電力の方が、個別チャネルを用いて一のマルチキャスト情報を伝送した場合における基地局の全送信電力よりも低くなる。
【００６２】
チャネル管理部１２は、受信劣化率が０．２％と規定されている場合であって、一のマルチキャスト情報に対応する移動通信端末の端末台数が７台以下である場合には、一のマルチキャスト情報を伝送するチャネルとして、各移動通信端末に対して個別チャネルを割り当てる。また、チャネル管理部１２は、受信劣化率が０．２％と規定されている場合であって、一のマルチキャスト情報に対応する移動通信端末の端末台数が８台以上である場合には、一のマルチキャスト情報を伝送するチャネルとして、各移動通信端末に対して共通したマルチキャストチャネルを割り当てる。
【００６３】
ここで、図６を参照して、チャネル管理部１２により管理される管理テーブルＴの内容について説明する。管理テーブルＴには、マルチキャスト情報の種別（例えば、ＩＰアドレス）と、チャネル番号と、加入者番号（例えば、電話番号）とがそれぞれ対応付けられて記憶される。図６に示すように、マルチキャスト情報の種別が“マルチキャストａ”であるマルチキャスト情報が伝送されている移動通信端末は、現時点において８台であるため、それぞれの移動通信端末に対応するチャネル番号には、マルチキャストチャネルのチャネル番号として“＃１”が共通して格納されている。一方、マルチキャスト情報の種別が“マルチキャストｃ”であるマルチキャスト情報が伝送されている移動通信端末は、現時点において７台であるため、それぞれの移動通信端末に対応するチャネル番号には、個別チャネルとしてそれぞれ別個のチャネル番号が格納されている。
【００６４】
チャネル管理部１２は、管理テーブルＴに登録されている各マルチキャスト情報の種別に対応する移動通信端末の端末台数が、７台以下である場合には各移動通信端末に対してそれぞれ個別チャネルを割り当てるとともに、８台以上である場合には各移動通信端末に対して共通のマルチキャストチャネルを割り当てる。
【００６５】
次に、図７を参照して第２実施形態における移動通信端末２０Ｓの動作を説明する。図７に示すように、まず、移動通信端末２０Ｓの受信部２２は、基地局１０から送信される共通制御チャネルの制御情報を受信する（ステップＳ４１）。制御情報認識部２３は、所望のマルチキャスト情報が基地局１０から伝送されているか否かを判定する（ステップＳ４２）。この判定の結果がＮＯである場合（ステップＳ４２；ＮＯ）に、送信部２４は、マルチキャスト情報伝送開始要求および加入者番号を基地局１０に送信し、処理をステップＳ４５に移行する。一方、ステップＳ４２における判定で、所望のマルチキャスト情報が基地局１０から伝送されていると判定された場合（ステップＳ４２；ＹＥＳ）に、送信部２４は、マルチキャスト情報受信開始通知および加入者番号を基地局１０に送信する（ステップＳ４４）。
【００６６】
次に、受信部２２は、基地局１０から送信される個別制御チャネルの制御情報を受信する（ステップＳ４５）。制御情報認識部２３は、受信部２２により受信された個別制御チャネルの制御情報に基づいて、マルチキャスト情報の伝送に使用されるチャネル番号を認識する（ステップＳ４６）。そして、受信部２２は、制御情報認識部２３により認識されたチャネル番号を用いてマルチキャスト情報の受信を開始する。すなわち、受信部２２は、チャネル番号が個別チャネルである場合には、この個別チャネルを介して送信されるマルチキャスト情報を受信し、チャネル番号がマルチキャストチャネルである場合には、このマルチキャストチャネルを介して送信されるマルチキャスト情報を受信する。
【００６７】
次に、制御情報認識部２３は、マルチキャスト情報の伝送が終了したか否かを判定する（ステップＳ４７）。この判定の結果がＹＥＳである場合（ステップＳ４７；ＹＥＳ）には、本動作が終了する。一方、ステップＳ４７における判定で、マルチキャスト情報の伝送が終了していないと判定された場合（ステップＳ４７；ＮＯ）に、受信部２２は、基地局１０から送信される個別制御チャネルの制御情報が受信されたか否かを判定する（ステップＳ４８）。この判定の結果がＮＯである場合（ステップＳ４８；ＮＯ）には、処理をステップＳ４７に移行する。一方、ステップＳ４８における判定で、個別制御チャネルの制御情報が受信されたと判定された場合（ステップＳ４８；ＹＥＳ）に、制御情報認識部２３は、受信部２２により受信された個別制御チャネルの制御情報に基づいて、マルチキャスト情報の伝送に使用されるチャネル番号を認識し、チャネル番号が変更されたか否かを判定する（ステップＳ４９）。この判定の結果がＹＥＳの場合（ステップＳ４９；ＹＥＳ）に、受信部２２は、制御情報認識部２３により新たに認識されたチャネル番号を用いてマルチキャスト情報を受信する（ステップＳ５０）。そして、処理をステップＳ４７に移行する。一方、ステップＳ４８における判定で、チャネル番号が変更されていないと判定された場合（ステップＳ４８；ＮＯ）に、受信部２２は、それまで使用していたチャネル番号をそのまま使用してマルチキャスト情報を受信する（ステップＳ５１）。そして、処理をステップＳ４７に移行する。
【００６８】
次に、図８を参照して第２実施形態における基地局１０の動作を説明する。なお、この動作は、上述した受信劣化率が０．２％と規定されている場合において行われる動作である。
【００６９】
図８に示すように、まず、基地局１０の受信部１１は、移動通信端末２０Ｓから送信される各種の情報を受信したか否かを判定する（ステップＳ６１）。ここで、移動通信端末２０Ｓから送信される各種の情報としては、例えば、マルチキャスト情報伝送開始要求、マルチキャスト情報受信開始通知がある。ステップＳ６１における判定の結果がＮＯである場合（ステップＳ６１；ＮＯ）には、処理をステップＳ７１に移行する。一方、ステップＳ６１における判定で、各種の情報を受信したと判定された場合（ステップＳ６１；ＹＥＳ）に、チャネル管理部１２は、移動通信端末２０Ｓから受信した情報の内容を判定する（ステップＳ６２）。
【００７０】
ステップＳ６２における判定で、受信した情報にマルチキャスト情報伝送開始要求が含まれると判定された場合（ステップＳ６２；判定１）に、チャネル管理部１２は、管理テーブルＴを参照し、マルチキャスト情報伝送開始要求により要求されたマルチキャスト情報の種別に対応する移動通信端末の端末台数が、７台以下である場合には移動通信端末２０Ｓに対して個別チャネルを割り当てるとともに、８台以上である場合には移動通信端末２０Ｓに対して共通のマルチキャストチャネルを割り当てる。そして、チャネル管理部１２は、移動通信端末２０Ｓから受信したマルチキャスト情報の種別に対応させて、当該移動通信端末２０Ｓに割り当てたチャネルのチャネル番号、および当該移動通信端末２０Ｓから受信した加入者番号を管理テーブルＴに登録する（ステップＳ６３）。
【００７１】
次に、チャネル管理部１２は、ネットワーク３０上にあるマルチキャスト情報の配信を管理しているサーバにアクセスして、マルチキャスト情報を配信するマルチキャストグループへの参加処理を行う（ステップＳ６４）。
【００７２】
次に、共通制御チャネル伝送部１３は、マルチキャスト情報伝送開始要求により伝送するように要求されたマルチキャスト情報を基地局１０から伝送する旨の信号を、この基地局１０の通信エリア内に在圏する全ての移動通信端末２０Ｓに対して報知する（ステップＳ６５）。また、個別制御チャネル伝送部１４は、マルチキャスト情報の伝送に使用するチャネルのチャネル番号を制御情報として移動通信端末２０Ｓに対して通知する（ステップＳ６６）。
【００７３】
次に、チャネル管理部１２は、移動通信端末２０Ｓに対してマルチキャスト情報を伝送するチャネルのチャネル番号を、マルチキャストチャネル伝送部１８または個別チャネル伝送部１９のいずれかと、切替部１７とに通知する。そして、切替部１７は、通知されたチャネル番号に基づいて、マルチキャスト情報を伝送する伝送部を、マルチキャストチャネル伝送部１８または個別チャネル伝送部１９のいずれか一方に決定する。具体的に説明すると、切替部１７は、チャネル管理部１２から通知されたチャネル番号がマルチキャストチャネルに対応する番号である場合にはマルチキャストチャネル伝送部１８に決定し、一方、通知されたチャネル番号が個別チャネルに対応する番号である場合には個別チャネル伝送部１９に決定する。これにより、マルチキャストチャネル伝送部１８または個別チャネル伝送部１９のいずれか一方からマルチキャスト情報が出力されることとなり、移動通信端末２０へのマルチキャスト情報の伝送が開始される（ステップＳ６７）。
【００７４】
一方、上述したステップＳ６２における判定で、移動通信端末２０Ｓから受信した情報にマルチキャスト情報受信開始通知が含まれると判定された場合（ステップＳ６２；判定２）に、チャネル管理部１２は、管理テーブルＴを参照し、マルチキャスト情報受信開始通知により通知されたマルチキャスト情報の種別に対応する移動通信端末の端末台数が、７台以下である場合には移動通信端末２０Ｓに対して個別チャネルを割り当てるとともに、８台以上である場合には移動通信端末２０Ｓに対して共通のマルチキャストチャネルを割り当てる。そして、チャネル管理部１２は、新たに割り当てたチャネルのチャネル番号に基づいて管理テーブルＴを更新する（ステップＳ６８）。
【００７５】
次に、個別制御チャネル伝送部１４は、マルチキャスト情報の伝送に使用する新たなチャネルのチャネル番号を制御情報として移動通信端末２０Ｓに対して通知する（ステップＳ６９）。
【００７６】
次に、チャネル管理部１２は、新たなチャネルのチャネル番号をマルチキャストチャネル伝送部１８または個別チャネル伝送部１９のいずれかと、切替部１７とに通知する。そして、切替部１７は、通知された新たなチャネル番号に基づいて、マルチキャスト情報を伝送する伝送部を、マルチキャストチャネル伝送部１８または個別チャネル伝送部１９のいずれか一方に切り替える。具体的に説明すると、切替部１７は、チャネル管理部１２から通知された新たなチャネル番号がマルチキャストチャネルに対応する番号である場合にはマルチキャストチャネル伝送部１８に切り替え、一方、通知された新たなチャネル番号が個別チャネルに対応する番号である場合には個別チャネル伝送部１９に切り替える。これにより、マルチキャストチャネル伝送部１８または個別チャネル伝送部１９のいずれか一方からマルチキャスト情報が出力されることとなり、マルチキャスト情報が、切り替えられた後のチャネルを介して伝送される（ステップＳ７０）。
【００７７】
次に、チャネル管理部１２は、入出力インターフェース１５を介して受信されるマルチキャスト情報の伝送が終了したか否かを判定する（ステップＳ７１）。この判定の結果がＹＥＳである場合（ステップＳ７１；ＹＥＳ）には、本動作が終了する。一方、ステップＳ７１における判定で、マルチキャスト情報の伝送が終了していないと判定された場合（ステップＳ７１；ＮＯ）には、処理をステップＳ６１に移行する。
【００７８】
以上のように、チャネル管理部１２が、マルチキャスト情報を受信する移動通信端末２０Ｓの端末台数に基づいて、マルチキャスト情報を伝送するチャネルを割り当てる。したがって、基地局１０は、チャネル管理部１２により割り当てられたチャネルを介してマルチキャスト情報を送信することにより、送信電力を低減することができ、ひいては無線リソースを有効に利用することができる。すなわち、本実施形態における基地局１０により、より簡易に送信電力を低減し、かつ無線リソースを有効に利用させることができる。
【００７９】
【発明の効果】
本発明に係る情報伝送装置および情報伝送方法によれば、マルチキャスト情報を伝送する際に、より簡易に送信電力を低減し、かつ無線リソースを有効に利用させることができる。
【図面の簡単な説明】
【図１】第１実施形態における移動通信システムの構成図である。
【図２】図１に示す移動通信端末の動作を示すフローチャートである。
【図３】図１に示す基地局の動作を示すフローチャートである。
【図４】第２実施形態における移動通信システムの構成図である。
【図５】移動通信端末の端末台数と基地局の送信電力との関係を表すグラフである。
【図６】管理テーブルの内容を説明するための概念図である。
【図７】図４に示す移動通信端末の動作を示すフローチャートである。
【図８】図４に示す基地局の動作を示すフローチャートである。
【符号の説明】
１，２・・・移動通信システム、１０・・・基地局、１１・・・受信部、１２・・・チャネル管理部、１３・・・共通制御チャネル伝送部、１４・・・個別制御チャネル伝送部、１５・・・入出力インターフェース、１６・・・入出力端子、１７・・・切替部、１８・・・マルチキャストチャネル伝送部、１９・・・個別チャネル伝送部、２０・・・移動通信端末、２１・・・受信品質測定部、２２・・・受信部、２３・・・制御情報認識部、２４・・・送信部、２５・・・入出力インターフェース、２６・・・入出力端子、３０・・・ネットワーク、Ｔ・・・管理テーブル。
【図１】
2004193888.tif 000003
【図２】
2004193888.tif 000004
【図３】
2004193888.tif 000005
【図４】
2004193888.tif 000006
【図５】
2004193888.tif 000007
【図６】
2004193888.tif 000008
【図７】
2004193888.tif 000009
【図８】
2004193888.tif 000010